(57)【要約】【課題】ＬＥＤ反射構造である。【解決手段】該ＬＥＤ反射構造はＬＥＤ反射基板を含み、基板上にいくつかのセパレート反射空洞を有する。該セパレート反射空洞は互いに隙間なく接着され、各２つのセパレート反射空洞の間に、１つのセパレートリブを有する。本発明は、基板上でセパレートリブにより各ＬＥＤ発光チップを隔て、各ＬＥＤ発光チップが発する光線を側面で反射させ、相互に干渉することはない。セパレート反射空洞の内壁側面に吹き付けられるナノ反射材料は、光線の放射束を上昇させる。該セパレートリブの耐圧能力は高く、設置されるチップの保護を強化する。さらに該筐体を一体化した基板は、筐体の保護、伝導放熱機能を一体に融合することができ、製品の超薄化、簡素化、超小型化の設計に有利である。【選択図】図１
2017527098.tif 000002
【特許請求の範囲】
【請求項１】
ＬＥＤ反射構造であって、該ＬＥＤ反射構造がＬＥＤ反射基板を含み、基板上にいくつかのセパレート反射空洞を有し、該セパレート反射空洞が互いに隙間なく接着され、各２つのセパレート反射空洞の間に、１つのセパレートリブを有することを特徴とするＬＥＤ反射構造。
【請求項２】
該セパレートリブが、嵌め込まれた炭素繊維フレーム構造であり、外層が全て金属で製造されることを特徴とする、請求項１に記載のＬＥＤ反射構造。
【請求項３】
各セパレート反射空洞が４つの側壁および中空の収容空間を含み、４つの側壁が囲む空間がＬＥＤチップの収容空間であり、大きさが単一のＬＥＤチップを配置するのに適していることを特徴とする、請求項２に記載のＬＥＤ反射構造。
【請求項４】
該４つの側壁と水平面との間の夾角が４５°であることを特徴とする、請求項３に記載のＬＥＤ反射構造。
【請求項５】
該セパレートリブの断面形状が三角形であることを特徴とする、請求項４に記載のＬＥＤ反射構造。
【請求項６】
該セパレートリブの断面形状が台形であることを特徴とする、請求項４に記載のＬＥＤ反射構造。
【発明の詳細な説明】
【技術分野】
【０００１】
本発明はＬＥＤ照明の技術分野に関し、特にＬＥＤ発光反射構造の技術に関する。
【背景技術】
【０００２】
ＬＥＤチップの構造はサファイア基板上のＰＮ接合であり、ＰＮ接合が通電して発光し、サファイア基板の方向を含む周囲に光線を発する。
【０００３】
既存のＬＥＤ照明設備では、通常、複数のＬＥＤを同時にプリント基板にダイボンディングし、その後実装する。または、単一のＬＥＤチップをリードフレーム上に固定し、実装してから、プリント基板上に固定し、さらにレンズで調光する必要がある。
【０００４】
ＬＥＤチップが発光して蛍光体材料に衝突し、蛍光体材料の発光が励起されるが、一次エネルギーが損失する。蛍光体材料に数回反射された各光束の光は、総量で損失が存在する。
【０００５】
他に、２つのＬＥＤチップの相互間にも、発光が互いに相殺される損失の問題が存在している。ある研究では、異なるＬＥＤチップが発する光子が互いに衝突し、消滅することが報告されており、そのためいくつかのＬＥＤチップを一緒に配置して生じる発光の損失も無視することはできない。
【０００６】
本発明の係る反射構造は、本出願人が出願した一体型放熱機構の技術と密接に関係しており、該反射構造は一体型放熱構造の一部分を構成する。
【発明の概要】
【発明が解決しようとする課題】
【０００７】
本発明は、以上の問題に対して、ＬＥＤ発光チップを隔て、かつ発光、出光効率を高めたＬＥＤ反射構造を示している。
【課題を解決するための手段】
【０００８】
本発明の前記係るＬＥＤ反射構造はＬＥＤ反射基板を含み、基板上にいくつかのセパレート反射空洞を有する。該セパレート反射空洞は互いに隙間なく接着され、各２つのセパレート反射空洞の間に、１つのセパレートリブを有する。
【０００９】
該セパレートリブは嵌め込まれた炭素繊維フレーム構造であり、外層は全て金属で製造される。
【００１０】
各セパレート反射空洞は、４つのセパレートリブからなる側壁および中空の収容空間を含む。４つの側壁が囲む空間はＬＥＤチップの収容空間であり、大きさは単一のＬＥＤチップを配置するのに適している。
【００１１】
セパレート反射空洞の側壁に、ナノ反射材料を吹き付ける。
【００１２】
該４つの側面と水平面との間の夾角は４５°である。
【００１３】
該セパレートリブの断面形状は三角形である。
【００１４】
該セパレートリブの断面形状は台形である。
【００１５】
本発明は、基板上でセパレートリブにより各ＬＥＤ発光チップを隔て、各ＬＥＤ発光チップが発する光線を側面で反射させ、相互に干渉することはない。セパレート反射空洞の内壁側面に吹き付けられるナノ反射材料は、光線の放射束を上昇させる。該セパレートリブの耐圧能力は高く、設置されるチップの保護を強化する。さらに該筐体を一体化した基板は、筐体の保護、伝導放熱機能を一体に融合することができ、製品の超薄化、簡素化、超小型化の設計に有利である。
【図面の簡単な説明】
【００１６】
【図１】図１は、本発明の係るＬＥＤ反射構造の概要図である。
【図２】図２は、本発明の実施例１におけるセパレートリブの断面概要図である。
【図３】図３は、本発明の実施例２におけるセパレートリブの断面概要図である。
【発明を実施するための形態】
【００１７】
以下に、図および実施例を組み合わせて、本発明のＬＥＤ反射構造について詳細に説明する。
【００１８】
図１を参照されたい。図１はＬＥＤ反射構造を示しており、該反射構造は反射基板１０を含む。該反射基板１０は１つの統合部品とし、本出願人の他の特許「一体型放熱構造のＬＥＤ灯」のように、筐体としても、放熱の一体型構造としても関与している。該一体放熱構造の上面カバーは、本出願の反射構造と同じ原理を有する。
【００１９】
反射基板１０にいくつかのセパレート反射空洞１１を有し、該セパレート反射空洞１１は相互に隙間なく接着される。各２つのセパレート反射空洞１１の間に、１つのセパレートリブ１２を有する。
【００２０】
図１で、セパレート反射空洞１１が矩形配列で配置されることが明確にわかる。当然、同じ原理、方針の下、セパレート反射空洞を円心対称に分布させ、発光面積が円形の反射基板を製造することもできる。
【００２１】
図２を参照されたい。該図２は、該セパレートリブ１２の内部構造を示している。該セパレートリブの嵌め込まれた炭素繊維フレーム１２１構造は、外層が全て金属１２２で製造される。
【００２２】
このような構造の機能は、セパレートリブの耐圧強度を高めることであり、最小の体積で、ＬＥＤチップを保護する耐圧能力を強化することができる。そのため比較的軽質で、丈夫な炭素繊維を支持フレームとして採用する。全て金属でコートしており、放熱構造としての優れた性能に影響を及ぼさない。
【００２３】
各セパレート反射空洞は、４つのセパレートリブからなる側壁および中空の収容空間を含む。４つの側壁が囲む空間はＬＥＤチップの収容空間であり、大きさは単一のＬＥＤチップを配置するのに適している。上記で説明したセパレートリブの構造を組み合わせると、該セパレート反射空洞の４本のセパレートリブによる側壁は、チップが位置する空間を保護し、その他の取付構造の圧力または係止力を支持する。コートするのは全て金属質であり、反射基板１０の残りの部分はすべて金属である。このような構造の設計は、放熱回路網構造を構成し、直接筐体と一体化した構造を構成することができる。該構造は光学装置としてだけでなく、光学装置、放熱器、筐体を一体に融合しており、一体化素子を製造して技術的基礎をサポートしている。
【００２４】
セパレート反射空洞の側壁にナノ反射材料１２３を吹き付ける。ＬＥＤチップの側面からの発光の放射束を上昇させる。
【００２５】
実施例１において、該４つの側面と水平面との間の夾角は４５°であり、セパレートリブの断面は三角形である。セパレートリブの断面を正三角形にすることが最適であり、このような形式のセパレートリブは最も安定し、堅固な構造を有する。耐荷重性能が最も好ましく、内部のＬＥＤチップを最大限に保護する。
【００２６】
実施例２において、
図３を参照されたい。該セパレートリブの断面形状は台形であり、該セパレートリブの断面形状は二等辺四辺形である。
【００２７】
本発明は、基板上でセパレートリブにより各ＬＥＤ発光チップを隔て、各ＬＥＤ発光チップが発する光線を側面で反射させ、相互に干渉することはない。セパレート反射空洞の内壁側面に吹き付けられるナノ反射材料は、光線の放射束を上昇させる。該セパレートリブの耐圧能力は高く、設置されるチップの保護を強化する。さらに該筐体を一体化した基板は、筐体の保護、伝導放熱機能を一体に融合することができ、製品の超薄化、簡素化、超小型化の設計に有利である。
【００２８】
以上の記載は本発明の好ましい実施例に過ぎず、本発明をどのような形式でも制限しない。本発明は好ましい実施例により、上記のように開示したが、本発明を限定するものではない。当業者は本発明の技術案を逸脱しない範囲内で、上記に示した技術内容を利用して、同等に変化した同等の実施例に変更または修飾を行うが、いずれも本発明の技術案の内容を逸脱しない。本発明に基づく技術とは、以上の実施例に対して行う簡単な修正、同等の変化および修飾を指し、いずれも本発明の技術案の範囲内に属する。
【符号の説明】
【００２９】
１０  反射基板
１１  セパレート反射空洞
１２  セパレートリブ
１２１  炭素繊維フレーム
１２２  金属
１２３  ナノ材料
【図１】
2017527098.tif 000003
【図２】
2017527098.tif 000004
【図３】
2017527098.tif 000005
【国際調査報告】
2017527098.tif 000006
2017527098.tif 000007
2017527098.tif 000008
2017527098.tif 000009